(57)【特許請求の範囲】
【請求項１】
情報提供者が提供する電子情報を配送先の利用者のアクセス履歴に応じて配送する電子情報配送システムであって、
前記電子情報配送システムは、
前記利用者毎に私書箱ＩＤが付与され、前記電子情報を受けるためのデータファイルを有する複数の電子私書箱と、
前記情報提供者から提供される電子情報を登録するコンテンツファイルと、
前記情報提供者から提供された電子情報と複数の配送先私書箱ＩＤを受取り、前記コンテンツファイルへ登録するコンテンツ登録手段と、
前記電子私書箱に対して配送された電子情報を閲覧したことを私書箱ＩＤ毎に記録する履歴情報ファイルと、
配送された電子情報を閲覧したことの通知を前記電子私書箱のいずれかから受けて、前記履歴情報ファイルに対して、電子情報を閲覧したことを記録するアクセス監視手段と、
前記情報提供者から通知された配送先の私書箱ＩＤを持つ電子私書箱に対して電子情報を配送する場合に、前記履歴情報ファイル内に、該電子私書箱に対して配送された電子情報を閲覧したことが記録されていた場合は、前記コンテンツファイルに登録されている電子情報を該私書箱ＩＤを持つ電子私書箱へ配送することを全ての配送先私書箱ＩＤを持つ電子私書箱に対して行うとともに、該電子情報を配送した数をカウントし、このカウント値を前記情報提供者に対して通知するコンテンツ配送手段と
を備えたことを特徴とする電子情報配送システム。
【請求項２】
前記コンテンツ配送手段は、
前記電子私書箱に対して電子情報を配送する場合に、該電子私書箱に対して配送された電子情報を閲覧したか否かに応じて配送を行うか否かを前記利用者の希望に応じて選択可能であることを特徴とする請求項１に記載の電子情報配送システム。
【請求項３】
前記コンテンツ配送手段は、
前記電子私書箱に対して電子情報を配送する場合に、該電子私書箱に対して配送された電子情報を閲覧したか否かに応じて配送を行うか否かを前記情報提供者の希望に応じて選択可能であることを特徴とする請求項１に記載の電子情報配送システム。
【請求項４】
情報提供者が提供する電子情報を配送先の利用者のアクセス履歴に応じて配送するために、前記利用者毎に私書箱ＩＤが付与され、前記電子情報を受けるためのデータファイルを有する複数の電子私書箱と、前記情報提供者から提供される電子情報を登録するコンテンツファイルと、前記電子私書箱に対して配送された電子情報を閲覧したことを私書箱ＩＤ毎に記録する履歴情報ファイルとを備えた電子情報配送システムにおける電子情報配送方法であって、
前記電子情報配送方法は、
前記情報提供者から提供された電子情報と複数の配送先私書箱ＩＤを受取り、前記コンテンツファイルへ登録するコンテンツ登録過程と、
配送された電子情報を閲覧したことの通知を前記電子私書箱のいずれかから受けて、前記履歴情報ファイルに対して、電子情報を閲覧したことを記録するアクセス監視過程と、
前記情報提供者から通知された配送先の私書箱ＩＤを持つ電子私書箱に対して電子情報を配送する場合に、前記履歴情報ファイル内に、該電子私書箱に対して配送された電子情報を閲覧したことが記録されていた場合は、前記コンテンツファイルに登録されている電子情報を該私書箱ＩＤを持つ電子私書箱へ配送することを全ての配送先私書箱ＩＤを持つ電子私書箱に対して行うとともに、該電子情報を配送した数をカウントし、このカウント値を前記情報提供者に対して通知するコンテンツ配送過程と
を有することを特徴とする電子情報配送方法。
【請求項５】
前記コンテンツ配送過程は、
前記電子私書箱に対して電子情報を配送する場合に、該電子私書箱に対して配送された電子情報を閲覧したか否かに応じて配送を行うか否かを前記利用者の希望に応じて選択可能であることを特徴とする請求項４に記載の電子情報配送方法。
【請求項６】
前記コンテンツ配送過程は、
前記電子私書箱に対して電子情報を配送する場合に、該電子私書箱に対して配送された電子情報を閲覧したか否かに応じて配送を行うか否かを前記情報提供者の希望に応じて選択可能であることを特徴とする請求項４に記載の電子情報配送方法。
【請求項７】
情報提供者が提供する電子情報を配送先の利用者のアクセス履歴に応じて配送するために、前記利用者毎に私書箱ＩＤが付与され、前記電子情報を受けるためのデータファイルを有する複数の電子私書箱と、前記情報提供者から提供される電子情報を登録するコンテンツファイルと、前記電子私書箱に対して配送された電子情報を閲覧したことを私書箱ＩＤ毎に記録する履歴情報ファイルとを備えた電子情報配送システムにおいて動作する電子情報配送プログラムを記録したコンピュータ読み取り可能な記録媒体であって、
前記電子情報配送プログラムは、
前記情報提供者から提供された電子情報と複数の配送先私書箱ＩＤを受取り、前記コンテンツファイルへ登録するコンテンツ登録処理と、
配送された電子情報を閲覧したことの通知を前記電子私書箱のいずれかから受けて、前記履歴情報ファイルに対して、電子情報を閲覧したことを記録するアクセス監視処理と、
前記情報提供者から通知された配送先の私書箱ＩＤを持つ電子私書箱に対して電子情報を配送する場合に、前記履歴情報ファイル内に、該電子私書箱に対して配送された電子情報を閲覧したことが記録されていた場合は、前記コンテンツファイルに登録されている電子情報を該私書箱ＩＤを持つ電子私書箱へ配送することを全ての配送先私書箱ＩＤを持つ電子私書箱に対して行うとともに、該電子情報を配送した数をカウントし、このカウント値を前記情報提供者に対して通知するコンテンツ配送処理と
をコンピュータに行わせることを特徴とする電子情報配送プログラムを記録した記録媒体。
【請求項８】
前記コンテンツ配送処理は、
前記電子私書箱に対して電子情報を配送する場合に、該電子私書箱に対して配送された電子情報を閲覧したか否かに応じて配送を行うか否かを前記利用者の希望に応じて選択可能であることを特徴とする請求項７に記載の電子情報配送プログラムを記録した記録媒体。
【請求項９】
前記コンテンツ配送処理は、
前記電子私書箱に対して電子情報を配送する場合に、該電子私書箱に対して配送された電子情報を閲覧したか否かに応じて配送を行うか否かを前記情報提供者の希望に応じて選択可能であることを特徴とする請求項７に記載の電子情報配送プログラムを記録した記録媒体。
【発明の詳細な説明】
【０００１】
【発明の属する技術分野】
本発明は、情報提供者が提供する電子情報を過去のアクセス履歴に応じて配送する電子情報配送システム、電子情報配送方法、及び電子情報配送プログラムを記録した記録媒体に関する。
【０００２】
【従来の技術及び発明が解決しようとする課題】
従来より、コンピュータネットワークを使用して、利用者間で情報の送受信を行う方法として電子メールが知られている。電子メールは、インターネット上の電子メールアドレスを有している相手であればいつでも簡単に送ることが可能である。
【０００３】
しかしながら、従来技術による電子メールは、送信したメールを送信先の相手が受信し、内容を確認したか否かを送信元は知ることができないという問題がある。また、電子メールをダイレクトメールに利用した場合、送信元にとってダイレクトメールの効果を向上させるためには、ダイレクトメールの内容に興味を持つ相手に送信することが望ましいが、従来技術による電子メールは、所定の電子メールアドレスを有する相手がどのような内容に興味を持っているかを予め知らなければならず、さらに、送信元は、送信先の電子メールアドレスの全てを予め知らなければならないという問題もある。
【０００４】
本発明は、このような事情に鑑みてなされたもので、情報提供者が提供する電子情報を過去のアクセス履歴に応じて配送する電子情報配送システム、電子情報配送方法、及び電子情報配送プログラムを記録した記録媒体を提供することを目的とする。
【０００５】
【課題を解決するための手段】
請求項１に記載の発明は、情報提供者が提供する電子情報を配送先の利用者のアクセス履歴に応じて配送する電子情報配送システムであって、前記電子情報配送システムは、前記利用者毎に私書箱ＩＤが付与され、前記電子情報を受けるためのデータファイルを有する複数の電子私書箱と、前記情報提供者から提供される電子情報を登録するコンテンツファイルと、前記情報提供者から提供された電子情報と複数の配送先私書箱ＩＤを受取り、前記コンテンツファイルへ登録するコンテンツ登録手段と、前記電子私書箱に対して配送された電子情報を閲覧したことを私書箱ＩＤ毎に記録する履歴情報ファイルと、配送された電子情報を閲覧したことの通知を前記電子私書箱のいずれかから受けて、前記履歴情報ファイルに対して、電子情報を閲覧したことを記録するアクセス監視手段と、前記情報提供者から通知された配送先の私書箱ＩＤを持つ電子私書箱に対して電子情報を配送する場合に、前記履歴情報ファイル内に、該電子私書箱に対して配送された電子情報を閲覧したことが記録されていた場合は、前記コンテンツファイルに登録されている電子情報を該私書箱ＩＤを持つ電子私書箱へ配送することを全ての配送先私書箱ＩＤを持つ電子私書箱に対して行うとともに、該電子情報を配送した数をカウントし、このカウント値を前記情報提供者に対して通知するコンテンツ配送手段とを備えたことを特徴とする。
【０００６】
請求項２に記載の発明は、前記コンテンツ配送手段は、前記電子私書箱に対して電子情報を配送する場合に、該電子私書箱に対して配送された電子情報を閲覧したか否かに応じて配送を行うか否かを前記利用者の希望に応じて選択可能であることを特徴とする。
【０００７】
請求項３に記載の発明は、前記コンテンツ配送手段は、前記電子私書箱に対して電子情報を配送する場合に、該電子私書箱に対して配送された電子情報を閲覧したか否かに応じて配送を行うか否かを前記情報提供者の希望に応じて選択可能であることを特徴とする。
【０００９】
請求項４に記載の発明は、情報提供者が提供する電子情報を配送先の利用者のアクセス履歴に応じて配送するために、前記利用者毎に私書箱ＩＤが付与され、前記電子情報を受けるためのデータファイルを有する複数の電子私書箱と、前記情報提供者から提供される電子情報を登録するコンテンツファイルと、前記電子私書箱に対して配送された電子情報を閲覧したことを私書箱ＩＤ毎に記録する履歴情報ファイルとを備えた電子情報配送システムにおける電子情報配送方法であって、前記電子情報配送方法は、前記情報提供者から提供された電子情報と複数の配送先私書箱ＩＤを受取り、前記コンテンツファイルへ登録するコンテンツ登録過程と、配送された電子情報を閲覧したことの通知を前記電子私書箱のいずれかから受けて、前記履歴情報ファイルに対して、電子情報を閲覧したことを記録するアクセス監視過程と、前記情報提供者から通知された配送先の私書箱ＩＤを持つ電子私書箱に対して電子情報を配送する場合に、前記履歴情報ファイル内に、該電子私書箱に対して配送された電子情報を閲覧したことが記録されていた場合は、前記コンテンツファイルに登録されている電子情報を該私書箱ＩＤを持つ電子私書箱へ配送することを全ての配送先私書箱ＩＤを持つ電子私書箱に対して行うとともに、該電子情報を配送した数をカウントし、このカウント値を前記情報提供者に対して通知するコンテンツ配送過程とを有することを特徴とする。
【００１０】
請求項５に記載の発明は、前記コンテンツ配送過程は、前記電子私書箱に対して電子情報を配送する場合に、該電子私書箱に対して配送された電子情報を閲覧したか否かに応じて配送を行うか否かを前記利用者の希望に応じて選択可能であることを特徴とする。
【００１１】
請求項６に記載の発明は、前記コンテンツ配送過程は、前記電子私書箱に対して電子情報を配送する場合に、該電子私書箱に対して配送された電子情報を閲覧したか否かに応じて配送を行うか否かを前記情報提供者の希望に応じて選択可能であることを特徴とする。
【００１３】
請求項７に記載の発明は、情報提供者が提供する電子情報を配送先の利用者のアクセス履歴に応じて配送するために、前記利用者毎に私書箱ＩＤが付与され、前記電子情報を受けるためのデータファイルを有する複数の電子私書箱と、前記情報提供者から提供される電子情報を登録するコンテンツファイルと、前記電子私書箱に対して配送された電子情報を閲覧したことを私書箱ＩＤ毎に記録する履歴情報ファイルとを備えた電子情報配送システムにおいて動作する電子情報配送プログラムを記録したコンピュータ読み取り可能な記録媒体であって、前記電子情報配送プログラムは、前記情報提供者から提供された電子情報と複数の配送先私書箱ＩＤを受取り、前記コンテンツファイルへ登録するコンテンツ登録処理と、配送された電子情報を閲覧したことの通知を前記電子私書箱のいずれかから受けて、前記履歴情報ファイルに対して、電子情報を閲覧したことを記録するアクセス監視処理と、前記情報提供者から通知された配送先の私書箱ＩＤを持つ電子私書箱に対して電子情報を配送する場合に、前記履歴情報ファイル内に、該電子私書箱に対して配送された電子情報を閲覧したことが記録されていた場合は、前記コンテンツファイルに登録されている電子情報を該私書箱ＩＤを持つ電子私書箱へ配送することを全ての配送先私書箱ＩＤを持つ電子私書箱に対して行うとともに、該電子情報を配送した数をカウントし、このカウント値を前記情報提供者に対して通知するコンテンツ配送処理とをコンピュータに行わせることを特徴とする。
【００１４】
請求項８に記載の発明は、前記コンテンツ配送処理は、前記電子私書箱に対して電子情報を配送する場合に、該電子私書箱に対して配送された電子情報を閲覧したか否かに応じて配送を行うか否かを前記利用者の希望に応じて選択可能であることを特徴とする。
【００１５】
請求項９に記載の発明は、前記コンテンツ配送処理は、前記電子私書箱に対して電子情報を配送する場合に、該電子私書箱に対して配送された電子情報を閲覧したか否かに応じて配送を行うか否かを前記情報提供者の希望に応じて選択可能であることを特徴とする。
【００１７】
【発明の実施の形態】
以下、本発明の一実施形態による電子情報配送システムを図面を参照して説明する。図１は同実施形態の構成を示すブロック図である。この図において、符号１は、電子情報配送システムである。符号２は、電子情報配送システム１を利用して、情報を提供する情報提供者である。符号３は、電子情報配送システム１を利用する利用者であり、情報提供者２が提供する情報を、パソコン上で動作するＷｅｂブラウザ３１とインターネット接続可能な携帯電話３２を使用して取得する。符号１ａは、電子情報の配送処理を管理する管理部であり、電子情報配送システム１の運転を管理する運転管理部１１と配送する電子情報の管理を行う配送情報管理部１２からなる。符号１ｂは、配送処理部である。符号１３は、配送情報管理部１２において受けた情報提供者からの情報に対してフィルタ処理を施すフィルタ機能部である。符号１４は、フィルタ機能部１４によってフィルタリングされた情報を個別化する個別化機能部である。
【００１８】
符号１５は、個別化機能部１４によって個別化された情報を振り分けて配送する配送振り分け部である。符号１６は、配送された情報の状態変化を記録する履歴情報ファイルである。符号１７は、履歴情報ファイル１６を参照して、配送された情報の状態を情報提供者２へ通知する履歴参照部である。符号１８は、利用者３の属性情報が定義された利用者属性情報ファイルであり、利用者３毎に趣味や嗜好に関する情報が定義されている。符号１９は、利用者毎に設けられたデータファイルを有する電子私書箱であり、情報提供者２から提供された情報は配送処理部１ｂによってこの電子私書箱に蓄えられる。符号２０は、利用者２に対して情報を配送する配送サーバである。符号２１は、携帯電話３２を電子情報配送システム１に接続するために携帯電話接続ゲートウェイである。
【００１９】
次に、図１を参照して、電子情報配送システム１の基本動作を説明する。ここでは、情報提供者２が利用者３に対してダイレクトメールを送信することを例にして説明する。
まず、情報提供者２は、ダイレクトメールの内容である電子情報を情報提供者２が所有するパソコン等を使用して作成する。ここで作成される電子情報とは、文書データ、画像データ、音データ等からなるデジタルデータである。そして、情報提供者２は、作成した電子情報を含むダイレクトメール発送要求を電子情報配送システム１へ送信する。このとき、情報提供者２は、電子情報を配送する場合の配送条件を合わせて電子情報配送システム１へ送信する。ここでいう配送条件とは、ダイレクトメールを配送する配送先を限定するための条件であり、利用者の年齢範囲や趣味、嗜好を指定して、この条件を満たす利用者に対してのみダイレクトメールを配送するために使用されるものである。
【００２０】
情報提供者２より送信された電子情報と配送条件は、配送情報管理部１２によって受信され、配送情報管理部１２内にこの電子情報は保持される。そして、配送情報管理部１２は、内部に保持されている電子情報と配送条件をフィルタ機能部１３へ出力する。これを受けて、フィルタ機能部１３は、利用者属性情報ファイル１８を参照して、受け取った配送条件に合致する利用者を抽出する。続いて、フィルタ機能部１３は、配送条件に合致した利用者毎に電子情報を個別化機能部１４へ出力する。ここで出力される電子情報は、配送条件に合致した利用者の数と同数だけ出力される。
【００２１】
次に、個別化機能部１４は、フィルタ機能部１３から受け取った電子情報に対して、利用者毎に必要な情報を付与してダイレクトメールの様式に変換する個別化処理を行う。この個別化処理では、宛先や差し出し人の情報を付与するとともに、予め決められたダイレクトメールの様式に電子情報をはめ込む等の処理が施される。ただし、ここでいう宛先とは、利用者３毎に設けられた電子私書箱１９を特定するための私書箱ＩＤである。
【００２２】
次に、個別化機能部１４は、利用者毎に個別化処理が施された電子情報を配送振り分け部１５へ出力する。これを受けて、配送振り分け部１５は、個別化機能部１４から受け取った電子情報に付与されている宛先（私書箱ＩＤ）に基づいて、振り分けを行い電子情報を電子私書箱１９へ出力する。電子私書箱１９は、この電子情報を受け取り、私書箱ＩＤに基づいて該当するデータファイルへ蓄える。また、配送振り分け部１５は、電子私書箱１９へ電子情報を出力するのと同期して、配送サーバ２０を介して、ダイレクトメールを配送した私書箱を所有している利用者３へダイレクトメールが届いたことを通知する。
利用者３は、この通知を受けて、Ｗｅｂブラウザ３１または携帯電話３２によって、電子私書箱１９に蓄えられている電子情報を取得する。これによって、情報提供者２から送信されたダイレクトメールが利用者３へ届くこととなる。
【００２３】
一方、電子私書箱１９は、配送振り分け部１５から電子情報を受け取った時点と、利用者３が電子私書箱１９に蓄えられている電子情報を取得した時点で、その旨を示す情報を履歴情報ファイル１６へ蓄える。情報提供者２は、ダイレクトメール発送要求を送信した後の任意のタイミングで電子情報配送システム１に対して、履歴情報参照要求を送信する。この履歴情報参照要求は、履歴参照部１７によって受信される。これを受けて、履歴参照部１７は、該当するダイレクトメールに関する履歴情報を履歴情報ファイル１６から読み出して、その内容を情報提供者２へ送信する。
【００２４】
情報提供者２は、履歴参照部１７から送信された履歴情報を取得し、内容を確認する。これによって、情報提供者は、発送を要求したダイレクトメールが何通発送され、その発送されたダイレクトメールが何人の利用者に見てもらったかを把握することができる。
【００２５】
なお、前述した説明では、配送条件を指定した場合の動作を説明したが、配送条件を指定せずに、予め私書箱ＩＤを指定して直接電子私書箱１９へ配送するようにしてもよい。
【００２６】
このように、情報提供者２は、電子情報配送システム１に対して、ダイレクトメールの内容と配送条件を送信するだけで、複数のダイレクトメールを送ることができる。また、配送条件に合致する利用者のみにダイレクトメールを送るようにしたため、効率よくメールの発送を行うことが可能となる。
【００２７】
次に、他の実施形態を図面を参照して説明する。図２は、他の実施形態の構成を示すブロック図である。図２において、図１にシステムと同一の部分には同一の符号を付し、その説明を省略する。なお、以下の説明において、電子情報を「コンテンツ」と称する。図２において、符号１９ａは、電子私書箱１９内に設けられたデータファイルである。符号４１は、情報提供者２から送信されるコンテンツを受信して、コンテンツファイル４３へ記録するコンテンツ登録装置である。符号４２は、履歴情報ファイル１６に記録されている内容に応じて、コンテンツファイル４３に記録されているコンテンツを各電子私書箱１９へ配送するコンテンツ配送装置である。符号４４は、電子私書箱１９のデータファイル１９ａに対するアクセス動作を監視するアクセス監視装置であり、監視結果を履歴情報ファイル１６へ記録する。
【００２８】
次に、図２、３を参照して、図２に示す実施形態の動作を説明する。図３は、図２に示す実施形態の動作を示すシーケンス図である。
まず、図２を参照して、情報提供者２が提供するコンテンツを指定した電子私書箱１９へ配送する動作を説明する。
情報提供者２は、電子情報配送システム１に対して、ダイレクトメールの内容（コンテンツ）を含むコンテンツ配送依頼を送信する。このコンテンツ配送依頼には、配送先の電子私書箱１９を特定するための複数の私書箱ＩＤが含まれる。この配送依頼は、コンテンツ登録装置４１によって受信され、コンテンツ登録装置４１は、受信した配送依頼に含まれるコンテンツをコンテンツファイル４３へ登録するとともに、配送先の私書箱ＩＤを含むコンテンツ配送依頼をコンテンツ配送装置４２へ通知する。
【００２９】
次に、コンテンツ配送装置４２は、コンテンツ登録装置４１から通知されたコンテンツ配送依頼に含まれる配送先の私書箱ＩＤを抽出する。そして、コンテンツ配送装置４２は、コンテンツファイル４３に登録されているコンテンツを読み出し、このコンテンツを抽出した私書箱ＩＤを持つ電子私書箱１９に対して配送する。これによって、各電子私書箱１９へコンテンツが配送される。このコンテンツには、このコンテンツを提供した情報提供者名、サービス名（コンテンツの内容を示すキーワード）、コンテンツのタイトル名、発送日付、及び有効期限が含まれる。ここでいう有効期限とは、配送されたコンテンツを閲覧することができる期限であり、この期限を過ぎたコンテンツは、閲覧をすることができなくするものである。
【００３０】
次に、図２、３を参照して、アクセス履歴に応じて、配送を制限する動作を説明する。まず、利用者３は、自己の電子私書箱１９に蓄えられているコンテンツを閲覧する（ステップＳ１）。この閲覧動作を受けて、電子私書箱１９は、配送されたコンテンツを閲覧したことをアクセス結果としてアクセス監視装置４４に対して通知する（ステップＳ２）。アクセス監視装置４４は、このアクセス結果を受取り、このアクセス結果をアクセス履歴情報として履歴情報ファイル１６へ登録する（ステップＳ３）。このアクセス履歴情報の登録は、全ての電子私書箱１９について行い、これによって、全ての電子私書箱１９のアクセス履歴情報が履歴情報ファイル１６に登録されることとなる。図４に、履歴情報ファイル１６に登録される履歴情報の一例を示す。図４に示す例は、「Ａ」という情報提供者２が提供した「Ａ」というサービスのコンテンツを利用者３毎に、閲覧したか否かを示す履歴情報である。図４において、「閲覧済」と登録されている利用者１は、配送されたコンテンツを閲覧したこと示している。一方、利用者２は配送されたコンテンツを現時点において閲覧していないこと示している。
【００３１】
次に、情報提供者２は、新たなコンテンツ配送依頼を電子情報配送システム１へ送信する（ステップＳ５）。このコンテンツ配送依頼には、配送先の電子私書箱１９を特定するための複数の私書箱ＩＤと、アクセス履歴に応じた配送制限を行うか否かを示す情報が含まれる。この配送依頼によって、アクセス履歴に応じた配送制限を行う指定がされた場合、アクセス履歴に応じて配送先が制限される。一方、アクセス履歴に応じて配送先を制限しない指定がされた場合、前述したように、指定された全ての私書箱ＩＤの電子私書箱１９へ配送される。
【００３２】
次に、コンテンツ登録装置４１は、情報提供者２から送信された配送依頼を受信して、この配送依頼に含まれるコンテンツを抽出して、コンテンツファイル４３へ登録する（ステップＳ６）とともに、配送先の電子私書箱１９を特定するための複数の私書箱ＩＤ及びアクセス履歴に応じた配送制限を行うか否かを示す情報を含む配送依頼をコンテンツ配送装置４２へ通知する（ステップＳ７）。
【００３３】
次に、コンテンツ配送装置４２は、コンテンツ登録装置４１から通知されたコンテンツ配送依頼に含まれる配送先の私書箱ＩＤとアクセス履歴に応じた配送制限を行うか否かを示す情報を抽出する。そして、アクセス履歴に応じた配送制限を行う指定がされてない場合、コンテンツ配送装置４２は、コンテンツファイル４３に登録されているコンテンツを読み出し、このコンテンツを通知された配送先の全ての電子私書箱１９に対して配送する。
【００３４】
一方、アクセス履歴に応じた配送制限を行う指定がされている場合、コンテンツ配送装置４２は、履歴情報ファイル１６に記録されているアクセス履歴を参照し（ステップＳ８）、情報提供者２から通知された配送先の利用者３毎のアクセス履歴を取得する（ステップＳ９）。そして、コンテンツ配送装置４２は、配送先の利用者３のアクセス履歴が「閲覧済」である利用者３の電子私書箱１９に対して、コンテンツファイル４３に登録されているコンテンツを配送する（ステップＳ１０）。
【００３５】
次に、コンテンツ配送装置４２は、電子私書箱１９に対してコンテンツを配送した数をカウントして、このカウント値を配送人数として情報提供者２に対して通知する（ステップＳ１１）。この配送人数は、情報提供者から通知された配送先の利用者３のうち、アクセス履歴に「閲覧済」と記録されていた数と同数となる。
【００３６】
このように、コンテンツを配送する場合に、電子私書箱１９に対する過去のアクセス履歴に応じて、配送を行うか否かを決定し、その結果に基づいてコンテンツの配送を行うようにしたため、閲覧される可能性が低い利用者に対して配送を制限することが可能となり、情報提供者２は効率よくダイレクトメール等のコンテンツを配送することができる。また、情報提供者２に対して、配送人数を通知するようにしたため、情報提供者２は、ダイレクトメール等を配送した場合の効果を予測することが可能となる。
【００３７】
なお、電子私書箱１９を有する利用者は、電子情報配送システム１に対して、過去のアクセス履歴に関係なく、無条件でコンテンツの配送を受けるか否かを通知して、この通知に基づいて、コンテンツ配送装置４２は、アクセス履歴に応じた配送制限を行うか否かを設定するようにしてもよい。
また、アクセス履歴に応じて配送制限を行う判断をする場合に、過去にアクセスされなかったコンテンツを提供した情報提供者と、今回配送しようとするコンテンツを提供した情報提供者が同一である場合に配送制限をするようにしてもよい。さらに、過去にアクセスされなかったコンテンツのサービス名と、今回配送しようとするコンテンツのサービス名が同一の場合に配送制限をするようにしてもよい。このようにすることによって、過去に閲覧しなかったコンテンツを提供した情報提供者のコンテンツ配送を制限することが可能となる。また、過去に閲覧しなかったサービスと同じサービスのコンテンツ配送を制限することが可能となる。
【００３８】
また、図３に示す処理の機能を実現するためのプログラムをコンピュータ読み取り可能な記録媒体に記録して、この記録媒体に記録されたプログラムをコンピュータシステムに読み込ませ、実行することにより電子情報配送処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピーディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４０】
【発明の効果】
以上説明したように、この発明によれば、コンテンツを配送する場合に、電子私書箱に対する過去のアクセス履歴に応じて、配送を行うか否かを決定し、その結果に基づいてコンテンツの配送を行うようにしたため、閲覧される可能性が低い利用者に対して配送を制限することが可能となり、情報提供者は効率よくダイレクトメール等のコンテンツを配送することができるという効果が得られる。また、情報提供者に対して、配送人数を通知するようにしたため、情報提供者は、ダイレクトメール等を配送した場合の効果を予測することができるという効果が得られる。
【図面の簡単な説明】
【図１】本発明の一実施形態の構成を示すブロック図である。
【図２】本発明の他の実施形態の構成を示すブロック図である。
【図３】図２に示す実施形態の動作を示すシーケンス図である。
【図４】図２に示す履歴情報ファイル１６の内容の一例を示す説明図である。
【符号の説明】
１・・・電子情報配送システム、      ２・・・情報提供者、
３・・・利用者、                    １１・・・運転管理部、
１２・・・配送情報管理部、          １３・・・フィルタ機能部、
１４・・・個別化機能部、            １５・・・配送振り分け部、
１６・・・履歴情報ファイル、        １７・・・履歴参照部、
１８・・・利用者属性情報ファイル、  １９・・・電子私書箱、
１９ａ・・・データファイル、        ２０・・・配送サーバ、
２１・・・携帯電話接続ゲートウェイ、３１・・・Ｗｅｂブラウザ、
３２・・・携帯電話、                １ａ・・・管理部、
１ｂ・・・配送処理部、              ４１・・・コンテンツ登録装置、
４２・・・コンテンツ配送装置、      ４３・・・コンテンツファイル、
４４・・・アクセス監視装置。
【図１】
0003542950.tif 000002
【図２】
0003542950.tif 000003
【図３】
0003542950.tif 000004
【図４】
0003542950.tif 000005